(57)【特許請求の範囲】
【請求項１】
第１光源を用いて被読取原稿に記録された記録画像を光学センサにより読み取る原稿読取手段と、
前記原稿読取手段によって読み取られた前記記録画像に対応した表示画像を表示するとともに、第２光源であるバックライトが分離可能な液晶ディスプレイと、
前記表示画像を前記光学センサにより読み取る画像読取手段と、
前記原稿読取手段により得られた前記記録画像に対応する第１の画像データと前記画像読取手段により得られた前記表示画像に対応した第２の画像データとに基づいて、前記表示画像が前記記録画像に一致するように前記液晶ディスプレイへ出力される信号を制御する画像制御手段とを備え、
前記画像読取手段の光源として前記原稿読取手段で用いられた第１光源が用いられる
ことを特徴とする画像読取装置。
【請求項２】
前記原稿読取手段および前記画像読取手段がカラー画像を読み取り、前記液晶ディスプレイがカラー画像を表示することを特徴とする請求項１に記載の画像読取装置。
【請求項３】
前記画像制御手段により前記信号の色毎の入力ゲインが制御されることを特徴とする請求項２に記載の画像読取装置。
【請求項４】
前記液晶ディスプレイが前記画像読取手段で前記表示画像を読み取るための画像読取位置と、前記画像読取位置から退避された位置との間において移動することを特徴とする請求項３に記載の画像読取装置。
【請求項５】
前記光学センサがラインセンサであることを特徴とする請求項１に記載の画像読取装置。
【発明の詳細な説明】
【０００１】
【発明の属する技術分野】
本発明は、例えばカラー液晶ディスプレイを有する画像読取装置に関する。
【０００２】
【従来の技術】
従来フィルムに記録された画像を読み取る画像読取装置は、読み取られた画像を表示するためのモニタを有していない。したがって画像を見るには画像読取装置に例えばコンピュータを接続し、コンピュータのディスプレイ上に表示することが必要であった。
【０００３】
【発明が解決しようとする課題】
ところがコンピュータを画像読取装置に接続するには、所定のケーブルを用いることが必要であるだけでなく、コンピュータを操作しなければならず、その操作は煩雑であった。
【０００４】
本発明は、被読取原稿に記録された画像をできるだけ忠実に再現して表示することができ、しかも操作が簡単である画像読取装置を得ることを目的としている。
【課題を解決するための手段】
【０００５】
本発明に係る画像読取装置は、被読取原稿に記録された記録画像を光学センサにより読み取る原稿読取手段と、原稿読取手段によって読み取られた記録画像に対応した表示画像を表示するための画像表示手段と、表示画像を光学センサにより読み取る画像読取手段と、原稿読取手段から出力され、記録画像に対応した第１の画像データと画像読取手段から出力され、表示画像に対応した第２の画像データとを用いて、表示画像が記録画像に一致するように画像表示手段を制御する画像制御手段とを備える。
【０００６】
好ましくは画像読取装置において、原稿読取手段および画像読取手段がカラー画像を読み取り、画像表示手段がカラー画像を表示する。
【０００７】
例えば画像制御手段は、画像表示装置の色毎の入力ゲインを制御することにより行なわれる。
【０００８】
画像表示手段における画像表示装置は、例えば液晶ディスプレイである。液晶ディスプレイは、例えばバックライトと一体的に構成されている。液晶ディスプレイがバックライトと一体的に構成されている画像読取装置において、画像読取手段の光源はバックライトである。
液晶ディスプレイは、例えばバックライトと分離可能である。好ましくは液晶ディスプレイがバックライトと分離可能である画像読取装置において、画像読取手段の光源として原稿読取手段で用いる光源を用いる。
【０００９】
光学センサは例えばラインセンサである。
【００１０】
【発明の実施の形態】
以下、本発明の第１の実施形態を図面を参照して説明する。
図１は本発明の第１の実施形態であるカラー液晶ディスプレイを備えた画像読取装置を示すブロック図である。
【００１１】
この画像読取装置において用いられる被読取原稿Ｍは透過原稿（ポジフィルム）であり、このフィルムＭにはカラー画像が記録されている。ステージ１０はステージ移送機構４１によって制御され、紙面垂直方向に間欠的に移送される。フィルムＭは、ステージ１０の上面に対して垂直に設けられ、ステージ１０の移送方向に沿うようにステージ１０の上方に配置されている。ステージ１０にはフィルムＭの裏面側に光源２０が配置され、フィルムＭの表面側にはラインセンサ２１とスキャナーレンズ２２が配置されている。フィルムＭの上方には液晶ディスプレイ（ＬＣＤ）６０が配置され、その背面にはバックライト６１が装着されている。
【００１２】
光源２０の点灯と消灯は光源駆動回路４２によって制御され、ラインセンサ２１による画像の検出動作はラインセンサ駆動回路４３によって制御される。ＬＣＤ６０での画像表示動作はＬＣＤ駆動回路５０によって制御され、ＬＣＤ６０のバックライト６１の点灯と消灯はバックライト駆動回路５１によって制御される。ステージ移送機構４１、光源駆動回路４２、ラインセンサ駆動回路４３、ＬＣＤ駆動回路５０およびバックライト駆動回路５１はシステムコントロール回路４０から出力される指令信号に従って動作する。
【００１３】
ラインセンサ２１から読み出された画像データはアンプ４４により増幅され、Ａ／Ｄ変換器４５によってデジタル信号に変換される。デジタルの画像データは、画像処理回路４６において必要に応じてシェーディング補正を施され、その後メモリ４７に一旦格納される。この画像データはメモリ４７から読み出され、ガンマ補正等の所定の演算処理を施された後再びメモリ４７に格納される。メモリ４７に格納された画像データはＬＣＤ駆動回路５０で所定の画像信号に変換され、入力ゲインの調整を受けた後ＬＣＤ６０に出力される。ＬＣＤ６０に出力された画像はバックライト６１が点灯されることにより、ＬＣＤの画面上に視覚可能な画像として表示される。外部装置に画像データを出力する場合には、画像データは画像処理回路４６を介してインターフェース回路４８に出力され、ここにおいて所定のフォーマットに従った信号に変換される。その後入出力端子４９を介して、接続された外部装置へ出力される。画像処理回路４６とインターフェース回路４８は、システムコントロール回路４０により制御される。システムコントロール回路４０はスイッチ５２を操作することによって制御される。
【００１４】
図２はフィルムＭに記録された記録画像を読み取るときにおけるフィルムＭ、ステージ移送機構４１、光源２０、ラインセンサ２１およびＬＣＤユニット６２の配置を示している。ＬＣＤユニット６２は、図１のＬＣＤ６０とバックライト６１を一体化させたものである。
【００１５】
フィルムＭはフィルムホルダ３０によって支持されている。フィルムホルダ３０は図示しない支持部材によって固定されている。
【００１６】
ステージ１０には、その移送方向（矢印Ａ）に貫通する２つの穴が形成されており、この２つの穴にはそれぞれ細長い支持部材１１が挿通している。すなわちステージ１０はこの２つの支持部材１１によって移動可能に支持されている。ステージ１０の上面にはフィルムＭを挟んで光源２０とスキャナレンズ２２、ラインセンサ２１がステージ移送方向（矢印Ａ）と直交する直線上に配置され、ステージ１０に固定されている。すなわち光源２０によって照射された光はフィルムＭを透過してスキャナレンズ２２を介してラインセンサ２１の受光面に結像され、光源２０、スキャナレンズ２２およびラインセンサ２１はステージ１０と共に間欠的に移送される。
【００１７】
ステージ１０の側端面にはラック１２が形成され、このラック１２にはステージ送りモータ１４の出力軸に設けられたピニオン１３が噛合している。ステージ送りモータ１４はステージ移送機構４１を介してシステムコントロール回路４０の制御に基づいて駆動され、ステージ１０の位置が制御される。
【００１８】
ＬＣＤユニット６２は、ＬＣＤユニット台６３の上方に延びた２つの突出部によって両側面から挟まれ、２つのピボット６６（片側のみ図示）を介して支持されている。ＬＣＤユニット６２は、この２つのピボット６６を軸として回転可動である。このときＬＣＤユニット６２はＬＣＤ６０が垂直面内にあるように固定可能である。すなわちＬＣＤ６０が正面を向いた状態およびこれを反転させ裏面を向いた状態（図３参照）で固定できるように、例えばＬＣＤユニット台６３の両突出部の内側およびＬＣＤユニット６２の両側面にそれぞれ小さな凹凸部（図示せず）を設けて、クリック機構が構成されている。
【００１９】
ＬＣＤユニット台６３の後部には鉛直方向に穿設された２つの穴があり、この穴には鉛直に立てられた２つの細長い支持部材６４がそれぞれ挿通している。すなわちＬＣＤユニット台６３はこの２つの支持部材６４によって昇降自在に支持されている。２つの支持部材６４はステージ１０の移送方向に細長く延びた支持部材６５に固定されている。なお支持部材６４が挿通している２つの穴は、ＬＣＤ６０の画面に表示された画像が支持部材６４に重ならないよう、ＬＣＤの表示部両端よりも外側に穿設されている。
【００２０】
図３はＬＣＤの画面に表示された画像を読み取るときにおけるステージ移送機構４１、光源２０、ラインセンサ２１およびＬＣＤユニット６２の配置を示している。
【００２１】
図３は、図２に図示されているフィルムホルダ３０が取り除かれ、ＬＣＤユニット６２がピボット６６を軸として１８０度回転された後、ＬＣＤユニット台６３が支持部材６４に沿って下向きに図２のフィルムＭのあった位置まで移動された状態を示している。すなわちＬＣＤユニット６２の画面はラインセンサ２１に対向している。図示されないＬＣＤ６０に表示された画像はバックライトを光源としてスキャナレンズ２２を介してラインセンサ２１の受光面に結像され、ラインセンサ２１により画像データとして検出される。なお、このときＬＣＤ６０から読み取られた画像はフィルムＭから読み取られた画像に対して上下反転しているが、これはシステムコントロール回路４０においてフィルムＭと同方向の画像に変換される。
【００２２】
図４と図５は、画像読取装置においてＬＣＤに対するレッド（Ｒ）、グリーン（Ｇ）、ブルー（Ｂ）の入力ゲインを調整するための手順を示すフローチャートである。
【００２３】
ステップ１００では、図２に示すようにフィルムホルダ３０が手動で画像読取装置に取り付けられる。フィルムホルダ３０には基準画像フィルムが装着されており、これには入力ゲイン調整で用いられる基準画像が記録されている。
【００２４】
ステップ１０５では、基準画像フィルムが読み取られる。ステージ１０はステージ移送機構４１によって間欠的に移送され、ステージが停止する度に光源２０が点灯される。基準画像フィムは、光源２０から照射された光によってスキャナレンズ２２を介してラインセンサの受光面に結像される。これによって基準画像のＲ、Ｇ、Ｂの画像データが検出される。
【００２５】
ステップ１１０では、後述するように入力ゲイン調整において基準となる基準画像データが、ステップ１０５で読み取られた基準画像フィルムに対応する画像データの中から抽出される。
【００２６】
ステップ１１５とステップ１２０では、図３に示されるようにＬＣＤユニット６２が画像読取位置に手動で配置される。すなわち基準画像フィルムがフィルムホルダ３０とともに画像読取装置から取り外され、ＬＣＤユニット６２が支持部材６４に沿って画像読取位置まで下降される。このときＬＣＤユニット６２は、ＬＣＤの画面がラインセンサ２１と対向するようにピボット６６を軸として回転される。
【００２７】
ステップ１２５では、ステップ１０５で読み取られた基準画像フィルムの記録画像に対応する画像データをＬＣＤ６０の画面上に表示する。すなわち画像データはメモリ４７からＬＣＤ駆動回路５０を経てＬＣＤに出力され、バックライト６１が点灯されることにより視覚可能な画像としてＬＣＤの画面上に表示される。
【００２８】
ステップ１３０では、ステップ１２５でＬＣＤに表示された画像がラインセンサ２１によって読み取られる。ステージ１０はステージ移送機構４１によって間欠的に移送され、ＬＣＤ６０の画面上の画像はバックライト６１から照射される光によってスキャナレンズ２２を介してラインセンサの受光面に結像され、ステージが停止する度にＲ、Ｇ、Ｂの画像データとして検出される。
【００２９】
ステップ１３５では、ステップ１３０で読み取られたＬＣＤ画像に対応する画像データの中から、基準画像データと比較するための比較画像データが抽出される。なお基準画像データと比較画像データは、所定の領域における多数の画素データから成る。
【００３０】
ステップ１４０では、ステップ１１０で抽出された基準画像データの和Ｒ１と、ステップ１３５で抽出された比較画像データの和Ｒ１’とを比較し、その差が０となるようにＲ成分のＬＣＤに対する入力ゲインが調整される。すなわちＬＣＤ駆動回路５０におけるＲの入力ゲインは、システムコントロール回路４０からの信号指令により、例えば電子ボリュームを用いて基準画像データと比較画像データが等しくなるように調整される。
【００３１】
ステップ１４５とステップ１５０では、ステップ１４０と同様の手法によってそれぞれＧ成分とＢ成分のＬＣＤ入力ゲインが基準画像データの和Ｇ２、Ｂ３と比較画像データの和Ｇ２’、Ｂ３’が等しくなるように調整される。これらの入力ゲインの調整により、ＬＣＤの画面上に表示される画像の色合いは、フィルム上の画像の色合いと等しくなる。基準画像データと比較画像データの詳細については後述する。
【００３２】
ステップ１５５では、手動でＬＣＤユニット台６３が支持部材６４に沿って元の位置まで戻される。これにより、このＬＣＤの入力ゲインの調整は終了する。
【００３３】
図６はステップ１０５で用いる基準画像フィルムの１例を示している。フィルムＭの格子で囲まれた領域はそれぞれ異なる色で塗りつぶされており、フィルムＭは全体としてカラーチャートを構成している。図６では２０色のカラーチャートが例示されている。カラーチャートとしては、例えばマクベス（商品名）のカラーチャートを用る。これをフィルムに写し取り基準画像フィルムとする。
【００３４】
次に図６を用いてステップ１１０の基準画像データの抽出について説明する。図６におけるＣ１、Ｃ２、Ｃ３はそれぞれＲ、Ｇ、Ｂの入力ゲインを調整するために基準画像データとして用いる色の領域を表しており、Ｃ１は赤色成分が、Ｃ２は緑色成分が、Ｃ３は青色成分が強い領域である。Ｘｒ１、Ｘｇ１、Ｘｂ１はそれぞれＣ１におけるＲ、Ｇ、Ｂの画像データを表しておりＸｒ２、Ｘｇ２、Ｘｂ２、Ｘｒ３、Ｘｇ３、Ｘｂ３も同様にそれぞれＣ２、Ｃ３におけるＲ、Ｇ、Ｂの画像データを表している。
【００３５】
例えばＲの入力ゲインを調整するために用いられる基準画像データは、ステップ１１０でＣ１領域を読み取ることにより得られたＲ、Ｇ、Ｂの画像データＸｒ１、Ｘｇ１、Ｘｂ１のうちＲに関する画像データＸｒ１である。同様にＧの入力ゲインを調整するための基準画像データはＣ２領域を読み取ることにより得られたＲ、Ｇ、Ｂの画像データのうちＧに関する画像データＸｇ２であり、Ｂの入力ゲインを調整するための基準画像データはＣ３領域を読み取ることにより得られたＲ、Ｇ、Ｂの画像データのうちＢに関する画像データＸｂ３である。これらの画像データＸｒ１、Ｘｇ２、Ｘｂ３が得られた画像データの中から抽出される。
【００３６】
図７はステップ１０５で読み取られたカラーチャートに対応する画像がＬＣＤ画面上に表示された状態を示している。ステップ１３５では、ＬＣＤ画面上に表示された画像の中でカラーチャートの領域Ｃ１、Ｃ２、Ｃ３に対応する領域から得られる画像データを比較画像データとして抽出する。すなわちＲの入力ゲインを調整するための比較画像データとしては、読み取られたＬＣＤ画像に対応した画像データのうちＣ１領域のＲ成分に関する画像データＸｒ１’が用いられる。Ｇ、Ｂの入力ゲインを調整するための比較画像データに関しても同様に、それぞれＬＣＤ画面上に表示されたカラーチャートのＣ２、Ｃ３領域のＧ成分、Ｂ成分の画像データＸｇ２’、Ｘｂ３’が用いられる。
【００３７】
領域Ｃ１、Ｃ２、Ｃ３毎に抽出される画像データは、光源出力などのばらつきのために同じ領域内（同一色）の画像データであっても、その値がばらつきを持つ。ステップ１０５で実行される基準画像フィルムの読み取りでは、光源２０に対して予めキャリブレーションが行われているため読み取られた画像データにシェーディング補正を施せばこのばらつきを抑えることができる。しかしステップ１３０のＬＣＤ画像の読取で用いられる光源はバックライト６１であり、光源２０のキャリブレーションに基くシェーディング補正は行なえず、比較画像データにはバックライト６１によるデータのばらつきが存在する。
【００３８】
このばらつきを平滑化するために、ステップ１４０〜ステップ１５０における基準画像データと比較画像データの比較では、各領域Ｃ１、Ｃ２、Ｃ３における各画像データの和が用いられる。すなわちＲの入力ゲイン調整には基準画像データＸｒ１の和Ｒ１と比較画像データＸｒ１’の和Ｒ１’が比較される。Ｇ、Ｂの入力ゲイン調整についても同様に、Ｇに関しては基準画像データＸｇ２の和Ｇ２と比較画像データＸｇ２’の和Ｇ２が比較され、Ｂに関しては基準画像データＸｂ３の和Ｂ３と比較画像データＸｂ３’の和Ｂ３’が比較される。これらの和Ｒ１、Ｇ２、Ｂ３、Ｒ１’、Ｇ２’、Ｂ３’に用いられる画像データは、画像データのばらつきが大きいときには例えば領域の全画像データであるが、ばらつきの大きさによっては領域の一部の画像データであってもよい。
【００３９】
以上のように第１の実施形態によれば、フィルムの記録画像を忠実に再現することができ、かつコンピュータに接続しなくとも読み取られた画像を簡単に表示することがでる。
【００４０】
次に本発明の第２の実施形態を図を参照して説明する。
第２の実施形態においてブロック図１は第１の実施形態と共通である。
【００４１】
図８はフィルムＭの記録画像を読み取るときにおけるフィルムＭ、ステージ移送機構４１、光源２０、ラインセンサ２１、ＬＣＤ６０およびバックライト６１の配置を示している。第１の実施形態と異なるのはＬＣＤ６０とバックライト６１が一体化せず分離可能に構成されていることである。
【００４２】
第１の実施形態と同様に、フィルムＭはフィルムホルダ３０によって支持されている。２つの支持部材７０の下端部にはステージ移送方向に沿ってそれぞれ溝が設けられており、フィルムホルダ３０は、この支持部材７０に設けられた溝に装着されることにより固定されている。
【００４３】
ステージ１０の配置やその移送機構、またステージ１０の上に固定された光源２０、ラインセンサ２１、スキャナーレンズ２２の配置は第１の実施形態と同じである。すなわちステージ１０は移送方向（矢印Ａ）に延びる細長い２つの支持部材１１によって支持され、ステージ１０の上面には光源２０とスキャナレンズ２２、ラインセンサ２１が直線的に配置され、その配置方向は移送方向（矢印Ａ）と直交する。ステージ１０はその側端面に設けられたラック１２とステージ送りモータ１４の出力軸に設けられたピニオン１３によって移送され、この移送はステージ移送機構４１を介してシステムコントロール回路４０の制御に基づいて駆動、制御される。
【００４４】
ＬＣＤ６０は、枠体７１によって支持されている。２つの支持部材７０の相対する面には鉛直方向に溝が設けられており、枠体７１はこの溝に昇降自在に支持されている。支持部材７０は図示されない支持部材によって固定されている。
【００４５】
ＬＣＤ６０の背面はバックライト６１に密着するように配置されており、バックライト６１が点灯することによりＬＣＤ６０に表示された画像が視覚可能となる。またバックライト６１は支持部材７２によって支持されている。
【００４６】
図９はＬＣＤ画面に表示された画像を読み取るときにおけるステージ移送機構４１、光源２０、ラインセンサ２１、ＬＣＤ６０およびバックライト６１の配置を示している。
【００４７】
図９では図８に図示されているフィルムホルダ３０が取り除かれ、枠体７１を支持部材７０に沿って下向きに移動させ、ＬＣＤ６０がフィルムＭのあった画像読取位置に移された状態を示している。
【００４８】
バックライト６１を光源とした第１の実施形態とは異なり、ＬＣＤ画面に表示された画像は、光源２０から照射された光によりスキャナレンズ２２を介してラインセンサの受光面に結像され、Ｒ、Ｇ、Ｂの画像データとして検出される。
【００４９】
入力ゲインの調整手順は図４に示される第１の実施形態のフローチャートと基本的に同じであり、異なる点のみを以下に説明する。すなわち、ステップ１２０では枠体７１を支持部材７０の溝に沿って下降させ画像読取位置に配置する。ステップ１３０では、ＬＣＤ画面に表示されたカラーチャートを光源２０で照射することによりその画像をラインセンサで読み取る。
【００５０】
第１の実施形態とは異なり、ステップ１３０のＬＣＤ画像読取において用いられた光源は、ステップ１０５の基準画像フィルム読取で用いられた光源２０である。したがって光源２０に対するシェーディング補正をＬＣＤ画像から読み取られた画像の画像データに対して施すことができ、そのばらつきを補正することができる。このため入力ゲイン調整のために用いる基準画像データと比較画像データの数を第１の実施形態のときに比べて少なくすることができる。ただし光源２０としては、その照射される光のスペクトル分布がバックライト６１の照射する光のスペクトル分布とほぼ同じになるものを用いる。
【００５１】
以上のように第２の実施形態によれば、第１の実施形態と同様にフィルムの記録画像を忠実に再現することができ、かつコンピュータに接続しなくとも読み取られた画像を簡単に表示することがでる。また第２の実施形態ではＬＣＤに表示された画像を読み取るときにバックライト６１の代わりに光源２０を用いるため得られた画像データにシェーディング補正を施すことができＬＣＤの入力ゲイン調整に用いる画像データの数を減らすことができる。
【００５２】
【発明の効果】
以上のように本発明によれば、被読取原稿に記録された画像をできるだけ忠実に再現して表示することができ、しかも操作が簡単である画像読取装置を得ることができる。
【図面の簡単な説明】
【図１】本発明の第１の実施形態である画像読取装置を示すブロック図である。
【図２】第１の実施形態における基準画像フィルム読取時のフィルム、ステージ移送機構、光源、ラインセンサおよびＬＣＤユニットの配置を示す斜視図である。
【図３】第１の実施形態におけるＬＣＤ画像読取時のステージ移送機構、光源、ラインセンサおよびＬＣＤユニットの配置を示す斜視図である。
【図４】ＬＣＤ入力ゲイン調整の手順を示すフローチャートの前半部である。
【図５】ＬＣＤ入力ゲイン調整の手順を示すフローチャートの後半部である。
【図６】基準画像フィルムの一例であるカラーチャートを示している。
【図７】読み取られた基準画像フィルムのカラーチャートをＬＣＤに表示したものを示している。
【図８】第２の実施形態における基準画像フィルム読取時のフィルム、ステージ移送機構、光源、ラインセンサ、ＬＣＤおよびバックライトの配置を示す斜視図である。
【図９】第２の実施形態におけるＬＣＤ画像読取時のステージ移送機構、光源、ラインセンサ、ＬＣＤおよびバックライトの配置を示す斜視図である。
【符号の説明】
２１  光学センサ
Ｍ  ポジフィルム
【図１】
0003943283.tif 000002
【図２】
0003943283.tif 000003
【図３】
0003943283.tif 000004
【図４】
0003943283.tif 000005
【図５】
0003943283.tif 000006
【図６】
0003943283.tif 000007
【図７】
0003943283.tif 000008
【図８】
0003943283.tif 000009
【図９】
0003943283.tif 000010